(57)【特許請求の範囲】
【請求項１】
物体の光学像を結像する光学系と、結像された光学像を電気信号に変換して画像データを取得する撮像素子と、撮像素子によって取得した光学像の位置を移動、変換する画像処理手段を有し、
前記画像処理手段により放射方向の倍率が同心方向の倍率とは独立的に変換可能であり、等角度物体における物体の倍率を画面中心部よりも画面周辺部の方を大きくした内視鏡用画像装置において、
画素の最大移動量は以下の条件式を満たすことを特徴とする内視鏡用画像装置。
０＜Δ／Ｉｈ≦０．５                                          ・・・（５）
ただし、Δは画面内における画素の最大移動量、Ｉｈは最大像高である。
【請求項２】
物体の光学像を結像する光学系と、結像された光学像を電気信号に変換して画像データを取得する撮像素子と、撮像素子によって取得した光学像の位置を移動、変換する画像処理手段を有し、
前記画像処理手段により放射方向の倍率が同心方向の倍率とは独立的に変換可能であり、放射方向の倍率を手動操作で変更できるようにした内視鏡用画像装置において、
画素の最大移動量は以下の条件式を満たすことを特徴とする内視鏡用画像装置。
０＜Δ／Ｉｈ≦０．５                                          ・・・（５）
ただし、Δは画面内における画素の最大移動量、Ｉｈは最大像高である。
【請求項３】
請求項１又は２において、中心に対する周辺の倍率は次の条件式を満たすことを特徴とする内視鏡用画像装置。
０．５≦Δmax ／Δcenter≦６．０                              ・・・（３）
ただし、Δcenter、Δmax は等角度物体における像面での大きさであり、Δcenterが画面中央部での大きさ、Δmax は画面内での最大値である。
【請求項４】
請求項１又は２において、倍率が変化しない画角は以下の条件式を満たすことを特徴とする内視鏡用画像装置。
３０°≦θfix ≦９０°                                        ・・・（４）
ただし、θfix は倍率が変化しない画角である。
【発明の詳細な説明】
【技術分野】
【０００１】
本発明は、内視鏡用画像装置に関するものであり、例えば生体内部や敷設管内部等を観察に利用することができる内視鏡装置用画像装置に関するものである。
【背景技術】
【０００２】
内視鏡は、医療用分野及び工業用分野で広く使用されている装置である。特に医療用分野においては、体腔内に挿入された内視鏡により得られる画像によって、観察部位の診断に利用されている。ところが、体腔内は複雑な形状であることが多く、特に管腔形状の場合には、管腔部分に襞や隆起物があると、内視鏡先端を屈曲させて観察方向を変えても見えない個所が出てきてしまう。例えば、大腸は大きな襞があるため、襞裏は見え難くなっており全領域を観察するのは困難となっている。
【０００３】
そこで、広角の光学系を備えることによって、観察範囲を増やす方法をとることが考えられる。これにより、先端を少し屈曲させることにより観察が可能になってくる。
【０００４】
ところが、広角の光学系では一般的に歪曲収差が発生しやすく、画面周辺の物体は縮小して潰れて見えてしまう。この歪曲収差を光学設計で補正することは可能ではあるが、レンズ枚数やレンズ径が大きくなってしまい、内視鏡のような非常に小型な装置に使うには不向きであり、限界があった。
【０００５】
そこで、画像処理によって歪曲収差を補正する方法が特許文献１、特許文献２、特許文献３で提案されている。
【０００６】
また、歪み補正量を変化させるものとして特許文献４のものがある。
【特許文献１】特開２００５−１１０２０７号公報
【特許文献２】特開２００７−３８８５６号公報
【特許文献３】特開２００７−１２４０８８号公報
【特許文献４】特開平１１−２７５４４４号公報
【発明の開示】
【発明が解決しようとする課題】
【０００７】
しかしながら、これらの先行例には以下のような課題があった。
【０００８】
特許文献１のものでは、画面周辺部の見え方に着目しているが、歪曲収差のコントロールを主にレンズで行っている。また、画像処理で歪曲を変化させているが、中心部分を大きく、周辺部分を小さくする方向に補正しているので、画像処理による周辺部分の見えの改善には着目していなかった。そのため、具体的なレンズデータはないが、この構成だと光学系が大型化するのは避けられず、内視鏡に使うには小型化を達成できない構成であった。
【０００９】
特許文献２のものも同様に、画面周辺部に着目しているが、具体的なレンズや画像処理への記述はなく、実現性は不明であった。
【００１０】
なお、特許文献１、特許文献２のものは用途が車載用であり、歪曲を車載の使用状況に対して最適化しているので、内視鏡へそのまま使用することは難しかった。
【００１１】
特許文献３のものは、画像処理による歪曲補正を内視鏡に適用しているが、目的は被写
体検出のための画像補正であり、レンズの歪曲収差を補正しているだけに留まっていた。それゆえ、周辺部分の最適な見えについては考慮されていなかった。
【００１２】
特許文献４のものは、歪曲収差補正の有無を切り替えスイッチで変えられるようにしているが、カメラでの使用を想定していた。そのため、内視鏡で使用するような歪曲収差が大きい広角系では、補正の有無で画像が非常に変化してしまい、逆に観察し難くなってしまっていた。
【００１３】
これらの先行例は、歪曲収差をコントロールしているが、生体内部の複雑な形状をどのように観察するかといった観点はなく、内視鏡観察に最適な歪曲構成については述べられていなかった。
【００１４】
本発明は従来技術のこのような問題点に鑑みてなされたものであり、その目的は、光学系の観察画角や大きさを考慮しつつ、特に画面周辺部分が観察しやすい内視鏡用画像装置を提供することである。
【課題を解決するための手段】
【００１５】
上記課題を解決するために本発明の第１の発明の内視鏡用画像装置は、物体の光学像を結像する光学系と、結像された光学像を電気信号に変換して画像データを取得する撮像素子と、撮像素子によって取得した光学像の位置を移動、変換する画像処理手段を有し、
前記画像処理手段により放射方向の倍率が同心方向の倍率とは独立的に変換可能であり、等角度物体における物体の倍率を画面中心部よりも画面周辺部の方を大きくする構成とする。
【００１６】
以下、第１の発明において、このような構成をとった理由と作用を説明する。
【００１７】
医療用内視鏡の観察において、臓器は複雑な形状をしていることが多く、大腸の襞裏等は病変の見逃しが避けられない。そのため、内視鏡の進行方向に対して、側方、後方も観察できるように画角を増やすことが考えられる。しかしながら、画角を大きくすると光学設計上、歪曲収差が発生してしまい、画面周辺部分は極端に歪んでしまう。そのため、画角を大きくしただけでは病変を認識することができず、見逃しの可能性は効果的に減らない可能性がある。
【００１８】
そこで、本発明では、内視鏡装置に画像処理による歪曲収差補正機能を搭載し、それにより歪み補正を行う。
【００１９】
ところが、広角光学系を搭載した内視鏡では、従来の方法をそのまま適用しても、本発明の目的を達成することは難しい。例えば、従来、一般的な理想像高ｆ・ｔａｎθを目標値にして歪曲補正する方法があった。しかしながら、画角θが９０°になった場合、理想像高は∞になってしまい、適切な目標値にはならない。さらに、９０°以上の場合は、その目標値も定義できない。そのため、理想像高を基準にするような補正方法は本発明に使用する光学系には不適切である。
【００２０】
このように、内視鏡では観察している物体は平面ではなく、立体物である管腔なので、その観察状況に応じて最適な歪曲補正を行う必要がある。また、管腔観察の際、画面中心は遠方若しくは照明光が届かないために注視することは少なく、主に画面周辺を見ていることが多い。また、画面の周辺部は進行方向に対して垂直な面を観察しているのではなく、管腔壁面である側方面を観察していることになる。
【００２１】
そのため、本発明では、観察物体面を球内面とし、その内壁面に配置した微小な円を想
定することにより、歪曲補正を最適化する。すなわち、等角度物体における放射方向の倍率を、画面中心よりも周辺で大きくなるようにして、図２に示すように仮想球面上での等角度物体を表す円を画面中心でも周辺でも略同じになるように装置を構成する。これにより、画面周辺での歪曲が補正され、さらに注視している周辺部分をより拡大して見ることができる。そのため、図１に歪曲の補正の前（ａ）と後（ｂ）の画面を示すように、管腔内での病変部の観察が見やすくなり、その結果、見落としを軽減することが可能になってくる。
【００２２】
また、本発明の第２の発明の内視鏡用画像装置は、物体の光学像を結像する光学系と、結像された光学像を電気信号に変換して画像データを取得する撮像素子と、撮像素子によって取得した光学像の位置を移動、変換する画像処理手段を有し、
前記画像処理手段により放射方向の倍率が同心方向の倍率とは独立的に変換可能であり、放射方向の倍率を手動操作で変更できる構成とする。
【００２３】
以下、第２の発明において、このような構成をとった理由と作用を説明する。
【００２４】
内視鏡観察の際、必ずしも視野方向に対して物体面を垂直に観察できるとは限らない。狭い空間を観察するとき等光学装置の物理的な配置により、視野方向に対して斜めに観察することは避けられない。このように斜めに観察すると、正対したときに対して歪んで見えてしまう。光学系で発生する樽型の歪曲収差と合わせると、歪みはますます大きくなってしまう。この物体の観察角度による歪みは、操作や物体の形状に依存しているので、単純に光学系の歪曲収差を補正しただけでは解決できなかった。
【００２５】
そこで、第２の発明では、画像処理による歪曲補正量を手動操作で変更できるように構成する。歪曲収差をユーザーがコントロールすることにより、物体の観察角度による歪みを状況に応じて補正することが可能になり、適切な観察が可能になってくる。
【００２６】
本発明の第１〜第２の発明の効果を最大限発揮するためには、光学系の画角が重要である。そのため、以下の条件式（１）を満たすのがよい。
【００２７】
７０°≦θ≦１５０°                                          ・・・（１）
ただし、θは光学系の最大半画角である。
【００２８】
この条件式（１）の上限の１５０°を越えると、画像処理で歪曲補正を行っても光学系が大きくなりすぎて内視鏡では使用が難しくなってしまい、下限の７０°を越えると、観察範囲が狭すぎて歪曲補正をしても見落とし防止の効果が十分に発揮できない。
【００２９】
なお好ましくは、次の条件式を満たすのがよい。
【００３０】
８０°≦θ≦１２０°                                      ・・・（１−１）
また、広角の光学系では一般的に歪曲収差は樽型になり周辺部分がつぶれてしまう。そのため、画像処理では引き延ばす方向に歪曲補正を行うので、拡大処理による画像劣化が避けられない。したがって、光学系である程度歪曲収差をコントロールしておく必要がある。よって、次の条件式（２）を満たすのがよい。
【００３１】
０．５≦Ｉｈ／（ｆ・θ）≦１．２                              ・・・（２）
ただし、ｆは光学系の焦点距離、θは光学系の最大半画角（単位はラジアン）、Ｉｈは光学系の最大実像高である。
【００３２】
この条件式（２）の上限の１．２を越えると、光学系の歪曲収差を補正しすぎて、レン
ズの構成枚数が増えたり光学系が大型化してしまい、下限の０．５を越えると、画像処理による補正量が大きくなりすぎて画像が劣化してしまう。
【００３３】
なお好ましくは、次の条件式を満たすのがよい。
【００３４】
０．６５≦Ｉｈ／（ｆ・θ）≦０．９５                      ・・・（２−１）
また、中心に対する周辺の倍率は次の条件式（３）を満たすのがよい。
【００３５】
０．５≦Δmax ／Δcenter≦６．０                              ・・・（３）
ただし、Δcenter、Δmax は等角度物体における像面での大きさであり、Δcenterが画面中央部での大きさ、Δmax は画面内での最大値である。
【００３６】
この条件式（３）の上限の６．０を越えると、表示サイズが大きくなりすぎて画像が劣化してしまい、下限の０．５を越えると、表示サイズが小さすぎて見難くなってしまう。
【００３７】
なお好ましくは、次の条件式を満たすのがよい。
【００３８】
０．８≦Δmax ／Δcenter≦４．０                          ・・・（３−１）
なお好ましくは、次の条件式を満たすのがよい。
【００３９】
１．０≦Δmax ／Δcenter≦３．０                          ・・・（３−２）
また、本発明では周辺部分を拡大する構成であるが、同じディスプレイサイズ内に全ての情報を収めるには元画像に対して中心部分を縮小しなければならない。一方、単純な管腔を観察する際、画角９０°で壁面を見るので物体距離は最も近くなり、周辺部分の倍率は自然と大きくなってくる。このように、倍率は物体の形状にも依存するので、その境界の画角を適切に設定しないと画像は全体として見難くなってしまう。そこで、その境界である、倍率が変化しない画角は次の条件式（４）を満たすのがよい。
【００４０】
３０°≦θfix ≦９０°                                        ・・・（４）
ただし、θfix は倍率が変化しない画角である。
【００４１】
この条件式（４）の上限の９０°を越えると、周辺部分が過剰に大きくなりすぎてしまい、下限の３０°を越えると、中心部分が過剰に小さくなってしまう。
【００４２】
なお好ましくは、次の条件式を満たすのがよい。
【００４３】
４０°≦θfix ≦８０°                                    ・・・（４−１）
また、画像処理による歪曲補正は個々の画素を移動する処理なので、画素の最大移動量は回路規模に依存して限界がある。したがって、移動量は光学系の歪曲収差と回路設計とでバランスをとる必要がある。したがって、次の条件式（５）を満たすのがよい。
【００４４】
０＜Δ／Ｉｈ≦０．５                                          ・・・（５）
ただし、Δは画面内における画素の最大移動量、Ｉｈは最大像高である。
【００４５】
この条件式（５）の上限の０．５を越えると、回路構成が膨大になるか、処理が遅延してしまい観察に支障が生じてしまい、下限の０になると、補正量が小さくなりすぎて画面周辺部が歪みでつぶれて見えてしまう。
【００４６】
なお好ましくは、次の条件式を満たすのがよい。
【００４７】
０．０５≦Δ／Ｉｈ≦０．３５                              ・・・（５−１）
また、画像処理による座標変換の際、光学系で得られる画像情報の内、中間部分をカットする構成も考えられるが、観察できない部分が生じるのは好ましくはない。そのため、座標変換時には画角の情報は連続的に表示するのが好ましい。そのため、光学系の入力において、画角が連続している範囲を変換する際、１つの関数多項式による変換をするのが好ましい。これにより変換後も連続性が保たれる。
【００４８】
また、歪曲補正による座標変換は個々の光学系の歪曲収差に依存している。そのため、変換パラメータは光学系と一緒に保持するのが好ましい。また、情報は装置に内蔵されているメモリー等に保存されているのが望ましい。
【００４９】
また、樽型の歪曲収差を補正する際、周辺を拡大する方向に伸ばすので、最周辺の光学像の情報は画面外に出てしまう場合がある。最周辺がカットされると、実質観察画角が減ってしまうので望ましくない。そのため、最大画角での光学像情報は変換前後で保持されているのが好ましい。
【００５０】
また、画面の形状が円形でなく例えば矩形の場合、最大画角の対角位置を固定してしまうと、画面形状が変換後に歪んでしまい欠損部分が生じてしまう。そのため、それを緩和するため、最大画角の少なくとも０．９倍での光学像情報を保持するように変換してもよい。
【００５１】
また、広角光学系を構成するためには一般的にレトロフォーカスタイプになる。そのため、パワー配分が明るさ絞りに対して物体側に負パワーが多く配置され、像側に正パワーが配置される。このような配置になると、光学系で発生する歪曲収差を小さくするのは難しくなってくる。この歪曲収差を補正するためには構成枚数を多くしたり、非球面レンズを使用する必要があるが、大型化したりコストアップしてしまう。そのため、光学系はある程度の歪曲収差を残しておいた方が望ましい。すなわち、等角度物体に対して、像の倍率は中心部よりも周辺部の方が小さくなるような光学特性を持たせるのがよい。
【発明の効果】
【００５２】
本発明により、物体が複雑な形状でも観察しやすい内視鏡用画像装置を得ることが可能となる。
【発明を実施するための最良の形態】
【００５３】
以下、本発明の内視鏡用画像装置を実施例に基づいて説明する。
【００５４】
（実施例１）
図３に示す内視鏡システム１は、内視鏡観察装置２と、この内視鏡観察装置２により得られた医療用画像としての内視鏡画像に対して画像処理を行うパーソナルコンピュータ等により構成される医療用画像処理装置（以下、単に画像処理装置と略記）３と、この画像処理装置３により画像処理された画像を表示する表示モニタ４とから構成される。
【００５５】
内視鏡観察装置２は、体腔内に挿入される内視鏡６と、この内視鏡６に照明光を供給する光源装置７と、内視鏡６の撮像手段に対する信号処理を行うカメラコントロールユニット（ＣＣＵと略記）８と、このＣＣＵ８から出力される映像信号が入力されることにより、撮像素子１６で撮影した内視鏡画像を表示するモニタ９とを有する。
【００５６】
内視鏡６は、体腔内に挿入される挿入部１１と、この挿入部１１の後端に設けられた操作部１２とを有する。また、挿入部１１内には照明光を伝送するライトガイド１３が挿通されている。
【００５７】
このライドガイド１３の後端は、光源装置７に接続される。そして、この光源装置７から供給される照明光をライトガイド１３により転送し、挿入部１１の先端部１４に設けた照明窓に取り付けられた先端面から伝送した照明光を出射し、患部等の被写体を照明する。
【００５８】
照明窓に隣接する観察窓に取り付けた対物レンズ１５と、この対物レンズ１５の結像位置に配置された固体撮像素子としての例えば電荷結合素子（ＣＣＤと略記）１６とによる撮像装置１７が設けてある。そして、このＣＣＤ１６の撮像面に結蔵された光学像は、このＣＣＤ１６により光電変換される。
【００５９】
ＣＣＤ１６は、信号線を介してＣＣＵ８と接続され、このＣＣＵ８からＣＣＤ駆動信号が印加されることにより、ＣＣＤ１６は光電変換した画像信号を出力する。この画像信号は、ＣＣＵ８内の映像処理回路により信号処理され、映像信号に変換される。この映像信号はモニタ９に出力され、モニタ９の表示面には内視鏡画像が表示される。この映像信号は、画像処理装置３にも入力される。
【００６０】
画像処理装置３は、内視鏡観察装置２から入力される内視鏡画像に対応する映像信号が入力される画像入力部２１と、この画像入力部２１から入力された画像データに対する画像処理を行う中央演算処理装置としてのＣＰＵ２２と、このＣＰＵ２２により画像処理を実行させる処理プログラム（制御プログラム）を記憶する処理プログラム記憶部２３とを有する。
【００６１】
また、この画像処理装置３は、画像入力部２１から入力される画像データ等を記憶する画像記憶部２４と、ＣＰＵ２２により処理された情報等を記憶する情報記憶部２５と、ＣＰＵ２２により処理された画像データ及び情報等を記憶装置インターフエース２６を介して記憶する記憶装置としてのハードディスク２７と、ＣＰＵ２２により処理された画像データ等を表示するための表示処理を行う表示処理部２８と、ユーザが画像処理のパラメータ等のデータ入力や指示操作を行うキーボード等からなる入力操作部２９とを有する。そして、この表示処理部２８により生成された映像信号は、表示モニタ４に表示され、この表示モニタ４の表示面には画像処理された処理画像が表示される。
【００６２】
なお、画像入力部２１、ＣＰＵ２２、処理プログラム記憶部２３、画像記憶部２４、情報記憶部２５、記憶装置インターフェース２６、表示処理部２８、入力操作部２９は、データバス３０を介して互いに接続されている。
【００６３】
本実施例においては、図４に示すように、例えば大腸３１のような管状部位（管状器官）に直視型の内視鏡６の挿入部１１が挿入され、先端部１４の撮像装置１７により撮像される。なお、本実施例の対物レンズ１５は次のように構成される。
【００６４】
図６は、対物レンズ１５のレンズ断面図であり、物体側から順に、物体側に凸の第１負メニスカスレンズＬ１、物体側が平面の第２負レンズＬ２、平行平面板Ｐ１、平行平面板Ｐ２、明るさ絞りＳ、両凸の第３正レンズＬ３、両凹の第４負レンズＬ４、両凸の第５正レンズＬ５、両凸の第６正レンズＬ６、像側に凸の第７負メニスカスレンズＬ７、平行平面板Ｐ３、平行平面板Ｐ４から構成されている。また、第３正レンズＬ３と第４負レンズＬ４、第６正レンズＬ６と第７負レンズＬ７、平行平面板Ｐ３と平行平面板Ｐ４はそれぞれ接合されている。また、本実施例の仕様は、焦点距離０．８６５ｍｍ、最大像高１．３１ｍｍであり、半画角１０８．６°の広角の光学系である。
【００６５】
この実施例のレンズ系の数値データは後記するが、物体側から数えた光学面の面番号を
“Ｎｏ”で示してあり、曲率半径は“ｒ”で、面間隔又は空気間隔は“ｄ”で、ｄ線の屈折率は“ｎd ”で、アッベ数は“ｖd ”でそれぞれ示してある。曲率半径及び面間隔はｍｍ単位である。
【００６６】
なお、図６では、面番号“Ｎｏ”が１、２、３、・・・・の光学面はｒ1 、ｒ2 、ｒ3 、・・・・で、面番号Ｎｏ１と２、２と３、３と４、・・・・の間の面間隔又は空気間隔はｄ1 、ｄ2 、ｄ3 、・・・・で示してある。
【００６７】
次に、内視鏡システム１の作用について説明を行う。まず、ユーザは、内視鏡システム１が有する各部の電源を投入した後、被検体の体腔内に内視鏡６の挿入部１１を挿入する。
【００６８】
そして、ユーザにより挿入部１１が被検体の体腔内に挿入されると、例えば、その体腔内に存在する生体組織等である被写体の像が、先端部１４に設けられた撮像部１７により撮像される。そして、撮像部１７により撮像された被写体の像は、撮像信号としてＣＣＵ８に対して出力される。
【００６９】
ＣＣＵ８は、図示しない信号処理回路において、撮像部１７の撮像素子１６から出力される撮像信号に対して信号処理を行うことにより、その撮像信号を二次元画像の映像信号として変換して出力する。そして、モニタ９は、ＣＣＵ８から出力される映像信号に基づき、撮像部１７により撮像された被写体の像を、二次元画像として表示する。また、ＣＣＵ８は、撮像部１７の撮像素子１６から出力される撮像信号に対して信号処理を行うことにより得られた二次元画像の映像信号を、医療用画像処理装置３に対して出力する。
【００７０】
医療用画像処理装置３に対して出力された二次元画像の映像信号は、画像入力部２１においてＡ／Ｄ変換された後、ＣＰＵ２２に入力される。ＣＰＵ２２は、画像入力部２１から出力される二次元画像に対し、歪曲収差補正を行う。
【００７１】
歪補正処理部３２は、図５に示すように、歪補正後の補正画像の位置（補間位置という。（Ｘ，Ｙ））と、これに対応した歪補正前の元の画像の位置（Ｘ’，Ｙ’）を生成する補間座標生成部３３と、歪補正処理部３２の前段ブロックの回路からの画像データの一部を一時的に格納しておくバッファメモリとしての内部メモリ部３４と、その内部メモリ部３４に対する書き込み及び読み出しの制御を行うメモリ制御部３５と、変換した歪補正前の画像位置の座標（Ｘ’，Ｙ’）に従って画像処理をしてデータの歪補正をする補間演算部３６と、を有して構成されている。
【００７２】
補間座標生成部３３は、座標（Ｘ，Ｙ）に対して所定の歪補正式を適用して変換した補正前の座標（Ｘ’，Ｙ’）を出力する。本実施例では、下記の関数式で変換する。
【００７３】
Ｘ’＝（ｍ・Ｘ）・（１＋ａ・Ｚ2 ＋ｂ・Ｚ4 ＋ｃ・Ｚ6 ）
Ｙ’＝（ｍ・Ｙ）・（１＋ａ・Ｚ2 ＋ｂ・Ｚ4 ＋ｃ・Ｚ6 ）
ただし、Ｚ2 ＝（ｍ・Ｘ）2 ＋（ｍ・Ｙ）2 
ｍ，ａ，ｂ，ｃはパラメータである。
【００７４】
本実施例では、Ｚの最大値が１になるようにＸ，Ｙは正規化され、各係数をｍ＝１．７４１０３、ａ＝−０．２５２５０、ｂ＝０．０３２３５、ｃ＝０．００１６９に設定している。また、最大像高位置が変換前後で固定になるように設定している。
【００７５】
図７にこの実施例１における画角に対する像高比の特性を示す。歪曲補正がされていない状態、すなわち光学系のみの歪曲特性では画角が大きくなるにつれて像高比の変化が少
なくなってゆき、物体がつぶれて見えている。上記の歪曲補正を行うことにより、画面中心部分に対して画面周辺部分の倍率が拡張され、歪みが改善されて観察しやすくなる。
【００７６】
また、入力操作部２９には歪曲補正のコントロールボタンが配設されている。内視鏡６には予め複数の歪曲補正のパラメータがメモリに登録され、保存されている。ユーザーは、そのボタンを押すことにより、保存されているパラメータが呼び出され段階的に歪曲度合いを変化させることができる。これにより、モニタ４には、画面周辺の歪曲が補正された画像が表示される。
【００７７】
（実施例２）
実施例２は、実施例１と同様の構成で、歪曲パラメータを変えたものである。
【００７８】
本実施例では、各係数をｍ＝１．１９５６８、ａ＝０．１３２４３、ｂ＝−０．４２６０３、ｃ＝０．１７８７１に設定している。
【００７９】
図８にこの実施例２における画角に対する像高比の特性を示す（曲線の意味は図７と同じ）。
【００８０】
（実施例３）
実施例３は、実施例１と同様の構成で、歪曲パラメータを変えたものである。
【００８１】
本実施例では、各係数をｍ＝１．９１５８７、ａ＝−０．４４７４３、ｂ＝０．１５２７４、ｃ＝−０．０１８１６に設定している。
【００８２】
図９にこの実施例３における画角に対する像高比の特性を示す（曲線の意味は図７と同じ）。
【００８３】
（実施例４）
実施例４は、実施例１と同様の構成で、対物レンズ１５の光学パラメータを変えたものである。
【００８４】
図１０は、この実施例の対物レンズ１５のレンズ断面図であり、物体側から順に、物体側に凸の第１負メニスカスレンズＬ１、物体側が平面の第２負レンズＬ２、両凸の第３正レンズＬ３、明るさ絞りＳ、平行平面板Ｐ１、両凸の第４正レンズＬ４、平行平面板Ｐ２、平行平面板Ｐ３、平行平面板Ｐ４から構成されている。また、平行平面板Ｐ３と平行平面板Ｐ４は接合されている。明るさ絞りＳは平行平面板Ｐ１の前面上に位置している。また、本実施例の仕様は、焦点距離０．６９８ｍｍ、最大像高１．０４ｍｍであり、半画角１０６．０°の広角の光学系である。
【００８５】
この実施例のレンズ系の数値データは後記するが、物体側から数えた光学面の面番号を“Ｎｏ”で示してあり、曲率半径は“ｒ”で、面間隔又は空気間隔は“ｄ”で、ｄ線の屈折率は“ｎd ”で、アッベ数は“ｖd ”でそれぞれ示してある。曲率半径及び面間隔はｍｍ単位である。
【００８６】
なお、図１０では、面番号“Ｎｏ”が１、２、３、・・・・の光学面はｒ1 、ｒ2 、ｒ3 、・・・・で、面番号Ｎｏ１と２、２と３、３と４、・・・・の間の面間隔又は空気間隔はｄ1 、ｄ2 、ｄ3 、・・・・で示してある。
光学系と歪曲パラメータを変えたものである。
【００８７】
本実施例では、各係数をｍ＝１．３２６９４、ａ＝０．４３７９７、ｂ＝−０．７１１
６４、ｃ＝０．２１８１２に設定している。
【００８８】
図１１にこの実施例４における画角に対する像高比の特性を示す（曲線の意味は図７と同じ）。
【００８９】
（実施例５）
実施例５は、実施例４と同様の構成で、歪曲パラメータを変えたものである。
【００９０】
本実施例では、各係数をｍ＝２．２３６０１、ａ＝−０．３１２０６、ｂ＝０．０６４８７、ｃ＝−０．００４９１に設定している。
【００９１】
図１２にこの実施例５における画角に対する像高比の特性を示す（曲線の意味は図７と同じ）。
【００９２】
次に、上記実施例１〜５で用いている対物レンズ１５の数値データを示す。実施例２〜３は実施例１と同じであり、実施例５は実施例４と同じであるので、実施例１と実施例４の数値データを示す。
【００９３】
（実施例１）
Ｎｏ              ｒ        ｄ        ｎd       ｖd 
1              7.8797     0.813     1.88300    40.76
2              2.1240     1.283 
3               ∞        0.400     1.56883    56.36
4              1.4928     0.700 
5               ∞        0.620     1.51400    75.00
6               ∞        0.030 
7               ∞        0.400     1.52287    59.89
8               ∞        1.363 
9 （絞り）      ∞        0.170 
10              3.6072     1.291     1.88300    40.76
11             -2.0000     0.418     1.72151    29.23
12              2.0933     0.319 
13              2.7967     1.252     1.56883    56.36
14             -3.0527     0.566 
15              2.4330     1.072     1.51633    64.14
16             -2.1514     0.500     1.84666    23.78
17            -16.5531     0.648 
18               ∞        1.130     1.51633    64.14
19               ∞        1.230     1.51633    64.14
20               ∞          
焦点距離           0.865
ＦＮＯ．           7.50 
半画角ω         108.6°                                                    。
【００９４】
（実施例２）
Ｎｏ              ｒ        ｄ        ｎd       ｖd 
1              6.3338     0.695     1.88300    40.78
2              1.8420     1.032 
3               ∞        0.450     1.88300    40.78
4              1.2952     1.123 
5              2.2201     2.282     1.64769    33.79
6             -2.6039     0.190 
7 （絞り）      ∞        0.795     1.51400    75.00
8               ∞        0.100 
9              2.7732     1.725     1.71999    50.22
10             -5.1958     0.150 
11               ∞        0.400     1.88300    40.78
12               ∞        0.200 
13               ∞        0.800     1.88300    40.78
14               ∞        0.500     1.48749    70.21
15               ∞        
焦点距離           0.698
ＦＮＯ．           4.75 
半画角ω         106.0°                                                    。
【００９５】
上記実施例の光学系は半画角９０°を超える魚眼レンズであるが、それよりも画角が狭い広角の光学系で使用しても構わない。また、上記実施例における光学系の第２負レンズは物体側に凸のメニスカス形状でも構わない。
【００９６】
また、歪曲補正を行う関数式は、どのような定義であってもよく、８次式、１０次式・・・を用いても構わない。
【００９７】
また、ユーザー補正による歪曲補正のレベルは、有段階でも無段階でも構わない。また、ユーザーが操作する方式は、ボタンやボリュームつまみあってもよく、また、操作のためのスイッチは画像処理装置３にあっても、内視鏡６にあってもよい。
【００９８】
また、一般的にＣＣＤ等の撮像素子は矩形であるので、そこに放射方向の変位を加えた場合、視野範囲は矩形を保つことができない。すなわち、図１３（ａ）に示すように、矩形のラインが歪んでしまい、視野が糸巻き形状になってしまう。視野が矩形にならないので、欠損部分が生じているように見え、観察者にとって見づらくなってしまう。
【００９９】
そこで、図１３（ｂ）に示すように、歪曲補正しても欠損部分が生じないように、通常モードで予め拡大表示しておいてもよい。このようにしておけば、歪曲補正時に欠損部分が生じないようにすることができる。また、このとき通常モードで必要な画角が表示されるように、光学系の画角を大きく設計しておくのが望ましい。
【０１００】
また、各実施例における条件式（１）〜（５）の値は次の通りである。
【０１０１】
実施例１  実施例２  実施例３  実施例４  実施例５
（１）θ                  108.6     108.6     108.6     106       106 
（２）Ｉｈ／（ｆ・θ）    0.795     0.795     0.795     0.780     0.780 
（３）Δmax ／Δcenter    1.971     1.087     2.696     2.373     3.585 
（４）θfix               58        58        43        76        57
（５）Δ／Ｉｈ            0.215     0.105     0.184     0.250     0.284 
また、本発明では次のように構成してもよい。
【０１０２】
（１）光学系と、撮像範囲を照明する照明手段と、光学像を電気信号に変換して画像データを取得する撮像素子と、撮像素子によって取得した光学像の位置を移動、変換する画
像処理手段を有し、
画像処理手段により放射方向の倍率が同心方向の倍率とは独立的に変換可能であり、等角度物体における物体の倍率を画面中心部よりも画面周辺部の方を大きくしたことを特徴とする内視鏡用画像装置。
【０１０３】
（２）光学系と、撮像範囲を照明する照明手段と、光学像を電気信号に変換して画像データを取得する撮像素子と、撮像素子によって取得した光学像の位置を移動、変換する画像処理手段を有し、
画像処理手段により放射方向の倍率が同心方向の倍率とは独立的に変換可能であり、放射方向の倍率を手動操作で変更できるスイッチ手段を有することを特徴とする内視鏡用画像装置。
【図面の簡単な説明】
【０１０４】
【図１】本発明の内視鏡用画像装置による歪曲の補正の前（ａ）と後（ｂ）の画面の例を示す図である。
【図２】等角度物体を説明するための図である。
【図３】本発明の内視鏡システムの構成を示すブロック図である。
【図４】内視鏡による大腸観察の例を示す図である。
【図５】歪補正処理部の構成を示すブロック図である。
【図６】実施例１〜３に使用される対物レンズの断面図である。
【図７】実施例１における画角に対する像高比の特性を示す図である。
【図８】実施例２における画角に対する像高比の特性を示す図である。
【図９】実施例３における画角に対する像高比の特性を示す図である。
【図１０】実施例４〜５に使用される対物レンズの断面図である。
【図１１】実施例４における画角に対する像高比の特性を示す図である。
【図１２】実施例５における画角に対する像高比の特性を示す図である。
【図１３】本発明に基づき視野範囲を矩形に保つために予め拡大表示しておく例を説明するための図である。
【符号の説明】
【０１０５】
１…内視鏡システム
２…内視鏡観察装置
３…医療用画像処理装置
４…表示モニタ
６…内視鏡
７…光源装置
８…カメラコントロールユニット（ＣＣＵ）
９…モニタ
１１…挿入部
１２…操作部
１３…ライトガイド
１４…先端部
１５…対物レンズ
１６…電荷結合素子（撮像素子）
１７…撮像装置
２１…画像入力部
２２…ＣＰＵ
２３…処理プログラム記憶部
２４…画像記憶部
２５…情報記憶部
２６…記憶装置インターフエース
２７…ハードディスク
２８…表示処理部
２９…入力操作部
３０…データバス
３１…大腸
３２…歪補正処理部
３３…補間座標生成部
３４…内部メモリ部
３５…メモリ制御部
３６…補間演算部
Ｌ１〜Ｌ７…第１レンズ〜第７レンズ
Ｐ１〜Ｐ４…平行平面板
Ｓ…明るさ絞り
【図１】
0005198138.tif 000002
【図２】
0005198138.tif 000003
【図３】
0005198138.tif 000004
【図４】
0005198138.tif 000005
【図５】
0005198138.tif 000006
【図６】
0005198138.tif 000007
【図７】
0005198138.tif 000008
【図８】
0005198138.tif 000009
【図９】
0005198138.tif 000010
【図１０】
0005198138.tif 000011
【図１１】
0005198138.tif 000012
【図１２】
0005198138.tif 000013
【図１３】
0005198138.tif 000014